(57)【要約】【課題】従来の遠赤外線生成部材及びサウナ装置においては、遠赤外線生成部材の表面温度を所定の温度にできるようにし、温度を高くしなくても発汗させることができるサウナ装置にすること。【解決手段】合成樹脂に粉末状の遠赤外線生成材を混合した合成樹脂板と断熱板との間にヒーターを結合させたことにより、遠赤外線生成部材の表面温度を所定の温度にでき、また、ハウジング内に加熱装置を配設し、仰臥状態で使用するサウナ装置であって、前記加熱装置には、合成樹脂に粉末状の遠赤外線生成材を混合した合成樹脂板と断熱板との間にヒーターを結合させた遠赤外線生成部材を使用したことにより、温度を高くしなくても発汗させることができるサウナ装置にすることができる。【選択図】  図１
2004215959.tif 000002
【特許請求の範囲】
【請求項１】
合成樹脂に粉末状の遠赤外線生成材を混合した合成樹脂板と断熱板との間にヒーターを一体化させたこと
を特徴とする遠赤外線生成部材。
【請求項２】
前記遠赤外線生成材は、
黒鉛珪石、天照石、石英斑石または石墨千枚岩のいずれか一種または二種以上であること
を特徴とする請求項１に記載の遠赤外線生成部材。
【請求項３】
前記遠赤外線生成材の含有量が、
前記合成樹脂板の全体の略０．５〜８０重量％であること
を特徴とする請求項１または２に記載の遠赤外線生成部材。
【請求項４】
前記合成樹脂板には、
炭酸カルシウムを混合させたこと
を特徴とする請求項１または３に記載の遠赤外線生成部材。
【請求項５】
前記合成樹脂板は、
溶解させた合成樹脂に粉末状の遠赤外線生成材を混合した合成樹脂混合溶液をガラス繊維からなるマットに流し込んで形成したＦＲＰであること
を特徴とする請求項１、３または４に記載の遠赤外線生成部材。
【請求項６】
ハウジング内に加熱装置を配設し、仰臥状態で使用するサウナ装置であって、
前記加熱装置には、合成樹脂に粉末状の遠赤外線生成材を混合した合成樹脂板と断熱板との間にヒーターを一体化させた遠赤外線生成部材を使用したこと
を特徴とする遠赤外線生成部材を使用したサウナ装置。
【請求項７】
前記遠赤外線生成材は、
黒鉛珪石、天照石、石英斑石または石墨千枚岩のいずれか一種または二種以上であること
を特徴とする請求項６に記載の遠赤外線生成部材を使用したサウナ装置。
【請求項８】
遠赤外線生成部材の表面温度が、
３８〜４５℃であること
を特徴とする請求項６または７に記載の遠赤外線生成部材を使用したサウナ装置。
【請求項９】
ハウジング内の足下側には、
室内灯を配設したこと
を特徴とする請求項６に記載の遠赤外線生成部材を使用したサウナ装置。
【発明の詳細な説明】
【０００１】
【発明の属する技術分野】
本発明は、例えば、黒鉛珪石、天照石等の遠赤外線を生成・放出する材料を混合した合成樹脂板を有する遠赤外線生成部材と、該遠赤外線生成部材を使用したサウナ装置に関するものである。
【０００２】
【従来の技術】
従来、一部の鉱物には、その鉱物の種類によって特定の作用を有することが知られている。例えば、黒鉛珪石（ブラックシリカ）または天照石等の鉱物は、略４〜１４μｍの波長の遠赤外線を生成・放出することが知られている。
【０００３】
前記黒鉛珪石（ブラックシリカ）または天照石等の鉱物による略４〜１４μｍの遠赤外線の波長は、人体や動植物を構成している物質である水分子と共鳴する波長であり、血液中等の水分子の循環を良くして生体の細胞を活発にする作用があるため、生育光線と称されており、末端細胞に栄養・酸素を供給し、体内の老廃物を排出して新陳代謝を促進し、細胞を活性化することによる健康維持効果や治癒効果や動植物活性化の作用を有するともいわれている。
【０００４】
この生育光線の放出量は、その度合いを分光放射率で表すことができ、その数値は１に近いほど放出量が高いものであるが、例えば、黒鉛珪石から放出される生育光線は、略０．９程度であり、高い放出量を有するものである。
【０００５】
この黒鉛珪石を使用した技術としては、例えば、該黒鉛珪石を配合させた樹脂の技術がある（特許文献１参照）。
【０００６】
この特許文献１の公知技術においては、黒鉛珪石の粉末を不飽和ポリエステル樹脂に混練し均一に分散させ、ガラス板に吹き付けて硬化させた後、加熱硬化して、室温に冷却させたものである。
【０００７】
また、従来より、サウナに入浴して体内の水分を汗として発汗させることにより、新陳代謝を良くし、健康を維持する方法が知られている。サウナは、一般的に、室内の温度を略６０〜１２０℃程度の高い温度にし、その高い温度により発汗させるものである。
【０００８】
【特許文献１】
特許２６０２１７８号公報（第１〜２頁）
【０００９】
【発明が解決しようとする課題】
しかしながら、前記サウナに入浴した場合には、体温と比較してサウナ室内の温度が非常に高いため、長時間の入浴が困難であり、また、体調に支障を来す場合がある。
【００１０】
また、前記特許文献１の公知技術は、樹脂から黒鉛珪石による遠赤外線を放射するものであるが、サウナ等に使用することを目的としていないため、その樹脂自体の表面温度が低く、そのままサウナとして使用した場合には、該樹脂の表面温度が体温よりも低いので、発汗作用を妨げることになり、該樹脂をサウナとして使用することは好ましくないのである。
【００１１】
従って、従来の遠赤外線生成部材及びサウナ装置においては、遠赤外線生成部材の表面温度を所定の温度にできるようにし、温度を高くしなくても発汗させることができるサウナ装置にするということに解決しなければならない課題を有している。
【００１２】
【課題を解決するための手段】
上記した従来例の課題を解決する具体的手段として本発明に係る第１の発明として、合成樹脂に粉末状の遠赤外線生成材を混合した合成樹脂板と断熱板との間にヒーターを一体化させたことを特徴とする遠赤外線生成部材を提供するものである。
【００１３】
この第１の発明において、前記遠赤外線生成材は、黒鉛珪石、天照石、石英斑石または石墨千枚岩のいずれか一種または二種以上であること；前記遠赤外線生成材の含有量が、前記合成樹脂板の全体の略０．５〜８０重量％であること；前記合成樹脂板には、炭酸カルシウムを混合させたこと；前記合成樹脂板は、溶解させた合成樹脂に粉末状の遠赤外線生成材を混合した合成樹脂混合溶液をガラス繊維からなるマットに流し込んで形成したＦＲＰであること；を付加的な要件として含むものである。
【００１４】
また、本発明に係る第２の発明として、ハウジング内に加熱装置を配設し、仰臥状態で使用するサウナ装置であって、前記加熱装置には、合成樹脂に粉末状の遠赤外線生成材を混合した合成樹脂板と断熱板との間にヒーターを一体化させた遠赤外線生成部材を使用したことを特徴とする遠赤外線生成部材を使用したサウナ装置を提供するものである。
【００１５】
この第２の発明において、前記遠赤外線生成材は、黒鉛珪石、天照石、石英斑石または石墨千枚岩のいずれか一種または二種以上であること；遠赤外線生成部材の表面温度が、３８〜４５℃であること；ハウジング内の足下側には、室内灯を配設したこと；を付加的な要件として含むものである。
【００１６】
本発明に係る遠赤外線生成部材は、合成樹脂に粉末状の遠赤外線生成材を混合した合成樹脂板と断熱板との間にヒーターを一体化させたものであるため、前記遠赤外線生成部材の表面温度を該ヒーターによって所定の温度に自由に設定することができ、該遠赤外線生成部材からなる加熱装置をサウナ装置のハウジング内に配設させることにより、ヒーターによって遠赤外線生成部材の表面温度を所定の温度にすると共に、合成樹脂板に含有された遠赤外線生成材の作用により、遠赤外線を放出させて、温度を高くしなくても発汗させることができるサウナ装置にすることができる。
【００１７】
【発明の実施の形態】
次に、本発明を具体的な実施の形態に基づいて詳しく説明する。
本発明の第１の実施の形態に係る遠赤外線生成部材の一部を破断して略示的に示した斜視図を図１に示し、その拡大した断面図を図２に示す。遠赤外線生成部材１は、合成樹脂板２と断熱板３との間にヒーター４が、例えば、図示していない接着剤層を介して積層され、一体的に結合された状態で形成されている。
【００１８】
この断熱板３としては、ＦＲＰ（繊維強化プラスチック）を使用することが好ましいが、例えば、ポリエステルまたはＡＢＳ等の合成樹脂の他、断熱材として使用できるものであれば、いずれのものを使用しても良い。
【００１９】
この断熱板３により、ヒーター４の熱が外部に放射されることを少なくできるため、該ヒーター４の熱を効率よく合成樹脂板２に伝えることができるようになる。
【００２０】
また、合成樹脂板２は、合成樹脂５に粉末状にした遠赤外線生成材６を混合して形成されている。この遠赤外線生成材６としては、例えば、黒鉛珪石、天照石、石英斑石または石墨千枚岩（宙石）のいずれか一種または二種以上を使用することができ、前記遠赤外線生成材６を粉末状にし、５０〜３００メッシュ程度の篩いにかけて選別したものを使用することが好ましい。
【００２１】
更に、合成樹脂板２には、必要に応じて炭酸カルシウムを混合させても良く、このように、炭酸カルシウムを混合させて合成樹脂板２を形成した場合には、合成樹脂５を軟らかくした状態で該合成樹脂板２を形成できるため、該合成樹脂板２とヒーター４との密着性を高めることができる。この際、前記合成樹脂板２に混合させる前記炭酸カルシウムの量は、該合成樹脂板２の全体の略５〜１０重量％であれば良い。
【００２２】
また、合成樹脂５としては、例えば、ポリエステルまたはＡＢＳ等の合成樹脂を使用することができるが、溶解させたポリエステルまたはＡＢＳ等の合成樹脂５に粉末状にした遠赤外線生成材６を混合した合成樹脂混合溶液をガラス繊維からなるマットに流し込んで形成した遠赤外線生成材６混合のＦＲＰ（繊維強化プラスチック）を使用することが好ましい。
【００２３】
このように、遠赤外線生成材６を混合したＦＲＰ（繊維強化プラスチック）を使用することにより、合成樹脂板２を薄く形成させた場合であっても、その強度を高くすることができ、使用者等が合成樹脂板２の上部に乗ったとしても、折れ曲がりづらくすることができるのである。
【００２４】
合成樹脂板２に混合させる遠赤外線生成材６の量としては、該合成樹脂板２の全体の略０．５重量％よりも少ない場合には、該遠赤外線生成材６が生成・放出する遠赤外線の量が十分でなく、８０重量％より多い場合には、合成樹脂５と粉末状にした前記遠赤外線生成材６とを混合して合成樹脂板２を形成することが困難であるため、前記合成樹脂板２の全体の略０．５〜８０重量％であれば良く、３０重量％以上であることが好ましい。
【００２５】
この場合、前記遠赤外線生成材６の量を８０重量％より多く含有させても合成樹脂板２を形成することできるのであれば、該遠赤外線生成材６の量を該合成樹脂板２の全体の８０重量％を越えて混合させて合成樹脂板２を形成しても良い。
【００２６】
また、ヒーター４としては、遠赤外線生成部材１の表面温度を略３８〜４５℃程度の所定の温度に維持できるものであれば、いずれのものを使用しても良いが、例えば、特開２００２−２２１３３０号公報に開示された面状発熱体等のヒーターを使用することができる。
【００２７】
つまり、前記面状発熱体のようなＰＣＴ特性を有するヒーター４を使用することにより、該ヒーター４の温度を略３８〜４５℃程度に維持して、遠赤外線生成部材１の表面温度を略３８〜４５℃程度の所定の温度に維持することが容易にできるのである。
【００２８】
要するに、図示していない接着剤層を介して、合成樹脂板２と、ヒーター４と、断熱板３とを積層して一体化させることにより、遠赤外線生成部材１の表面温度を略３８〜４５℃程度の所定の温度に簡単に維持させることができるようになるのである。
【００２９】
本発明の第２の実施の形態に係る遠赤外線生成部材１の断面図を図３に示す。なお、この第２の実施の形態において、前記第１の実施の形態と同一のものについては、同一の符号を付して説明し、説明が重複するため、その詳細な説明は省略する。
【００３０】
第２の実施の形態においては、図３に示したように、遠赤外線生成部材１の表面には、例えば、ゲルコート等のコーティング層７を設けても良く、更に、断熱板３の下部に図示していない接着剤層を介して合板８と断熱板３ａとを一体的に結合させても良い。
【００３１】
このように、遠赤外線生成部材１の表面にコーティング層７を設けることにより、該遠赤外線生成部材１の表面の傷つき等を防止でき、合板８と断熱板３ａとを一体的に結合させることにより、断熱の効果をより高くすることができると共に、前記遠赤外線生成部材１の全体の強度を高くすることができる。
【００３２】
因みに、本発明に係る遠赤外線生成部材１の厚さは、例えば、合成樹脂板２が略１．４ｍｍ程度、断熱板３が略２ｍｍ程度、ヒーター４が略０．６ｍｍ程度であり、また、合板８と断熱板３ａとを結合させた場合には、合板８が略９ｍｍ程度、断熱板３ａが略２ｍｍ程度である。
【００３３】
次に、本発明の第３の実施の形態に係る遠赤外線生成部材１を使用したサウナ装置１０を図４〜図６を用いて説明する。図４には、サウナ装置１０を略示的に示した平面図が示してある。
【００３４】
サウナ装置１０の上部側には、蓋部材１１が配設されており、該蓋部材１１の前部側には、前記サウナ装置１０の内側を確認することができる、例えば、透明のアクリル等で形成された窓部１２が設けられている。
【００３５】
窓部１２には、複数の通気用孔１３が形成されており、サウナ装置１０を使用する人が呼吸できるようになっているため、前記窓部１２は、使用者の顔を臨むことができるように配設させることが好ましい。
【００３６】
図５には、サウナ装置１０を略示的に示した側面図を示し、図５のＡ−Ａ線に沿う断面図を図６に示してある。この図５には、サウナ装置１０の使用状態を理解しやすいように、蓋部材１１を開けた状態と、該サウナ装置１０を仰臥状態で使用する使用者１４と、必要に応じて使用する枕１５とをそれぞれ仮想線で示してある。
【００３７】
サウナ装置１０のハウジング１６内の下側には、加熱装置１７として、前記第１の実施の形態の遠赤外線生成部材１を配設させている。なお、本発明においては、この加熱装置１７は、サウナ装置１０のハウジング１６内を加熱できれば良いのであるから、ハウジング１６内に限らず、図５に示したように、サウナ装置１０の下部、即ち、寝台全体を遠赤外線生成部材１により形成することも含むものである。
【００３８】
このように、加熱装置１７として、遠赤外線生成部材１を使用することにより、ヒーター４によって該遠赤外線生成部材１の表面温度が、略３８〜４５℃程度に維持されていると共に、合成樹脂板２に含有された遠赤外線生成材６の作用により遠赤外線が放出されているため、略３８〜４５℃程度という低い温度であっても、遠赤外線の輻射熱によって、体内から暖めて発汗させることができ、その際に、サウナ装置１０のハウジング１６内の温度が体温に近いことから、体の負担を少なくすることができるのである。また、必要に応じて遠赤外線生成部材１と使用者１４との間に適宜タオル等を配設させても良い。
【００３９】
蓋部材１１とハウジング１６との一部、例えば、使用者１４の足下側には、図示していない蝶番等が配設されており、これにより、前記蓋部材１１を開閉できるようにしている。これら蓋部材１１とハウジング１６とは、例えば、木材または樹脂板等の断熱効果を有する材料を使用することができる。
【００４０】
また、蓋部材１１の内側には、図示していない把持部が形成されており、使用者１４は、サウナ装置１０の内部に入った後に、自ら前記把持部を引くことにより、蓋部材１１を閉じることができるようになっている。
【００４１】
更に、蓋部材１１の中央部から使用者１４の稍足下寄りの部分は、サウナ装置１０内の室内高が稍高く形成されているため、該使用者１４は、膝を立てた状態であっても、サウナ装置１０を使用することができるため、リラックスした状態で使用できるようになっている。
【００４２】
このように、サウナ装置１０は、仰臥状態で使用するものであるが、該サウナ装置１０での動作が容易であるため、これに限定されるものではなく、例えば、伏臥等の状態で使用しても良い。つまり、横になり、リラックスした状態で使用できるものである。
【００４３】
また、サウナ装置１０のハウジング１６内の使用者１４の足下側には、室内灯１８を配設させている。この室内灯１８としては、例えば、青色等の発光ダイオードまたは電球等を使用することができる。
【００４４】
サウナ装置１０の下側には、キャスター１９等を配設させても良く、該キャスター１９を配設させることにより、前記サウナ装置１０を容易に移動できると共に、サウナ装置１０底面に熱が隠ることを防ぐことができる。
【００４５】
なお、本発明に係る遠赤外線生成部材と、サウナ装置とは、人間に使用することに限るものではない。
【００４６】
【発明の効果】
以上説明したように、本発明の第１の発明に係る遠赤外線生成部材は、合成樹脂に粉末状の遠赤外線生成材を混合した合成樹脂板と断熱板との間にヒーターを結合させた構成にしたことにより、該ヒーターによって前記遠赤外線生成部材の表面温度を所定の温度にすることができ、その際、断熱板によって前記ヒーターの熱が外部に放射されることを少なくできるので、該ヒーターの熱を効率よく合成樹脂板に伝えることができ、その伝えられた該ヒーターの熱と共に、該合成樹脂板から遠赤外線を生成・放出させることができるという優れた効果を奏する。
【００４７】
また、本発明の第２の発明に係る遠赤外線生成部材を使用したサウナ装置は、ハウジング内に加熱装置を配設し、仰臥状態で使用するサウナ装置であって、前記加熱装置には、合成樹脂に粉末状の遠赤外線生成材を混合した合成樹脂板と断熱板との間にヒーターを結合させた遠赤外線生成部材を使用したことにより、該ヒーターによる遠赤外線生成部材の表面温度と、合成樹脂板に含有された遠赤外線生成材の作用による遠赤外線の生成・放出とによって、温度を高くしなくても発汗させることができるサウナ装置にすることができるため、身体にあまり負担をかけることなくサウナ効果を得ることができるという優れた効果を奏する。
【図面の簡単な説明】
【図１】本発明の第１の実施の形態に係る遠赤外線生成部材の一部を破断して略示的に示した斜視図である。
【図２】同遠赤外線生成部材を拡大して略示的に示した断面図である。
【図３】本発明の第２の実施の形態に係る遠赤外線生成部材を拡大して略示的に示した断面図である。
【図４】本発明の第３の実施の形態に係る遠赤外線生成部材を使用したサウナ装置を略示的に示した平面図である。
【図５】同サウナ装置を略示的に示した側面図である。
【図６】図５のＡ−Ａ線に沿う断面図である。
【符号の説明】
１  遠赤外線生成部材
２  合成樹脂板
３、３ａ  断熱板
４  ヒーター
５  合成樹脂
６  遠赤外線生成材
７  コーティング層
８  合板
１０  サウナ装置
１１  蓋部材
１２  窓部
１３  通気用孔
１４  使用者
１５  枕
１６  ハウジング
１７  加熱装置
１８  室内灯
１９  キャスター
【図１】
2004215959.tif 000003
【図２】
2004215959.tif 000004
【図３】
2004215959.tif 000005
【図４】
2004215959.tif 000006
【図５】
2004215959.tif 000007
【図６】
2004215959.tif 000008